(57)【特許請求の範囲】
【請求項１】
電子機器に外部より電源供給を可能とする外部電源装置に於いて、
それぞれに温度検出素子を有する複数の電池をそれぞれに装填可能な複数の電池室と、
上記電池の上記温度検出素子の何れかに導通する外部接点と、
上記電池室の１つである特定の電池室に電池が装填されたときは、他の電池室に電池の装填がされているか否かを問わず、上記特定の電池室に電池が装填されたことを優先して上記特定の電池室に装填された電池の温度検出素子を上記外部接点に導通させ、上記特定の電池室に電池が未装填で、上記特定の電池室以外の上記電池室に電池が装填されたときは、該電池室に装填された該電池の温度検出素子を上記外部接点に導通させる回路手段と、
を具備することを特徴とする外部電源装置。
【請求項２】
上記回路手段は、上記特定の電池室に電池が装填されたことと連動して、上記複数の電池室と上記外部接点との接続を切り替えるトランスファスイッチを有していることを特徴とする請求項１に記載の外部電源装置。
【請求項３】
上記回路手段は、上記複数の電池それぞれの装填を検出する複数の検出スイッチと、該複数の検出スイッチからの出力により上記温度検出素子の内の１つを選択して上記外部接点に導通させる制御を行うＣＰＵを含むことを特徴とする請求項１に記載の外部電源装置。
【請求項４】
電子機器に外部より電源供給を可能とする外部電源装置に於いて、
第１の温度検出素子を有する第１の電池の装填が可能な第１の電池室と、
第２の温度検出素子を有する第２の電池の装填が可能な第２の電池室と、
上記温度検出素子の一方に導通する外部接点と、
上記第１の電池室に上記第１の電池が装填され、上記第２の電池室が未装填であると上記第１の温度検出素子と上記外部接点とを電気的に導通させ、上記第２の電池室に上記第２の電池が装填され、上記第１の電池室が未装填であると上記第２の温度検出素子と上記外部接点とを電気的に導通させ、上記第１の電池室に上記第１の電池が装填され、上記第２の電池室に上記第２の電池が装填されると、上記第１の温度検出素子と電気的に上記外部接点とを導通させる回路手段と、
を具備することを特徴とする外部電源装置。
【請求項５】
上記回路手段は、上記第１の電池の装填状態と連動して上記第１及び第２の電池室の何れか一方と上記外部接点との接続を切り替えるトランスファスイッチを有していることを特徴とする請求項４に記載の外部電源装置。
【請求項６】
上記回路手段は、上記第１の電池の装填を検出する第１の検出スイッチと、上記第２の電池の装填を検出する第２の検出スイッチと、該第１の検出スイッチ及び該第２の検出スイッチからの出力により上記温度検出素子の一方を選択して上記外部接点に導通させる制御を行うＣＰＵを含むことを特徴とする請求項４に記載の外部電源装置。
【請求項７】
上記温度検出素子はサーミスタであることを特徴とする請求項１乃至６の何れか１に記載の外部電源装置。
【請求項８】
上記外部電源装置はカメラのための外部電源装置であることを特徴とする請求項１乃至６の何れか１に記載の外部電源装置。
【請求項９】
電子機器に外部より電源供給を可能とする外部電源装置に於いて、
それぞれに温度検出素子を有する複数の電池をそれぞれに装填可能な複数の電池室と、
上記電池の上記温度検出素子の何れかに導通する外部接点と、
上記複数の電池室それぞれに挿入された上記複数の電池のうち、最後に挿入された電池の温度検出素子を上記外部接点に接続する制御手段と、
を具備することを特徴とする外部電源装置。
【請求項１０】
上記外部電源装置はカメラのための外部電源装置であることを特徴とする請求項９に記載の外部電源装置。
【請求項１１】
電子機器に外部より電源供給を可能とする外部電源装置に於いて、
第１の温度検出素子を有する第１の電池の装填が可能な第１の電池室と、
第２の温度検出素子を有する第２の電池の装填が可能な第２の電池室と、
上記温度検出素子の一方に導通する外部接点と、
上記第１の電池室と上記第２の電池室の何れか一方と、上記外部接点との接続を、上記第１の電池の装填状態と連動して切り替える制御手段と、
を具備し、
上記制御手段は、上記第１の電池室に上記第１の電池が装填され、上記第２の電池室が未装填であると上記第１の温度検出素子と上記外部接点とを電気的に導通させ、上記第２の電池室に上記第２の電池が装填され、上記第１の電池室が未装填であると上記第２の温度検出素子と上記外部接点とを電気的に導通させ、上記第１の電池室に上記第１の電池が装填され、上記第２の電池室に上記第２の電池が装填されると、上記第１の温度検出素子と電気的に上記外部接点とを導通させることを特徴とする外部電源装置。
【請求項１２】
上記制御手段は、上記第１の電池の装填を検出する第１の検出スイッチと、上記第２の電池の装填を検出する第２の検出スイッチと、該第１の検出スイッチ及び該第２の検出スイッチからの出力により上記温度検出素子の一方を選択して上記外部接点に導通させる制御を行うＣＰＵを含むことを特徴とする請求項１１に記載の外部電源装置。
【請求項１３】
上記温度検出素子はサーミスタであることを特徴とする請求項１１若しくは１２に記載の外部電源装置。
【請求項１４】
上記外部電源装置はカメラのための外部電源装置であることを特徴とする請求項１１若しくは１２に記載の外部電源装置。
【発明の詳細な説明】
【技術分野】
【０００１】
本発明は外部電源装置に関し、より詳細には、カメラ等の電子機器に電源を供給するための複数のバッテリパックを内蔵した外部電源装置の改良に関するものである。
【背景技術】
【０００２】
従来より、カメラ本体に装填されている電池の電圧をチェックして、その電池の残量を告知するカメラが一般に使用されている。
【０００３】
例えば、カメラの動作回路毎に消費電流値テーブルを備えておき、ダミーロードにより電池の内部抵抗を求め、内部抵抗値と消費電流から電圧値を算出し、電池の電圧と比較して残量警告を出力するチェック回路が知られている（例えば、特許文献１参照）。
【０００４】
このように、ダミーロードに所定電流を流して電池電流を予測する技術は周知である。
【特許文献１】特開２００３−３４４９２２号公報
【発明の開示】
【発明が解決しようとする課題】
【０００５】
ところで、近年、カメラ本体に着脱が自在で大容量の電池パックを内蔵する外部電源装置が開発されている。こうした外部電源装置は、複数個の電池パックを内蔵している。
【０００６】
一方、電池は化学反応を利用しているために、環境温度の影響を受けやすいものであった。こうした温度変化については、温度によって予測してテーブルを参照するという技術が公知である。
【０００７】
しかしながら、上述した特許文献１に記載のカメラでは、パラメータとして温度が存在していないものであった。そのため、温度変化が生じた場合、正確な電池残量の警告を行うことができないものであった。
【０００８】
したがって、本発明の目的は、複数個の電池パックを内蔵する外部電源装置であっても、装填される電池パックの状態に関わらず正しく電池の温度を測定することのできる外部電源装置を提供することである。
【課題を解決するための手段】
【０００９】
すなわち請求項１に記載の発明は、電子機器に外部より電源供給を可能とする外部電源装置に於いて、それぞれに温度検出素子を有する複数の電池をそれぞれに装填可能な複数の電池室と、上記電池の上記温度検出素子の何れかに導通する外部接点と、上記電池室の１つである特定の電池室に電池が装填されたときは、他の電池室に電池の装填がされているか否かを問わず、上記特定の電池室に電池が装填されたことを優先して上記特定の電池室に装填された電池の温度検出素子を上記外部接点に導通させ、上記特定の電池室に電池が未装填で、上記特定の電池室以外の上記電池室に電池が装填されたときは、該電池室に装填された該電池の温度検出素子を上記外部接点に導通させる回路手段と、を具備することを特徴とする。
【００１０】
請求項２に記載の発明は、請求項１に記載の発明に於いて、上記回路手段は、上記特定の電池室に電池が装填されたことと連動して、上記複数の電池室と上記外部接点との接続を切り替えるトランスファスイッチを有していることを特徴とする。
【００１１】
請求項３に記載の発明は、請求項１に記載の発明に於いて、上記回路手段は、上記複数の電池それぞれの装填を検出する複数の検出スイッチと、該複数の検出スイッチからの出力により上記温度検出素子の内の１つを選択して上記外部接点に導通させる制御を行うＣＰＵを含むことを特徴とする。
【００１２】
請求項４に記載の発明は、電子機器に外部より電源供給を可能とする外部電源装置に於いて、第１の温度検出素子を有する第１の電池の装填が可能な第１の電池室と、第２の温度検出素子を有する第２の電池の装填が可能な第２の電池室と、上記温度検出素子の一方に導通する外部接点と、上記第１の電池室に上記第１の電池が装填され、上記第２の電池室が未装填であると上記第１の温度検出素子と上記外部接点とを電気的に導通させ、上記第２の電池室に上記第２の電池が装填され、上記第１の電池室が未装填であると上記第２の温度検出素子と上記外部接点とを電気的に導通させ、上記第１の電池室に上記第１の電池が装填され、上記第２の電池室に上記第２の電池が装填されると、上記第１の温度検出素子と電気的に上記外部接点とを導通させる回路手段と、を具備することを特徴とする。
【００１３】
請求項５に記載の発明は、請求項４に記載の発明に於いて、上記回路手段は、上記第１の電池の装填状態と連動して上記第１及び第２の電池室の何れか一方と上記外部接点との接続を切り替えるトランスファスイッチを有していることを特徴とする。
【００１４】
請求項６に記載の発明は、請求項４に記載の発明に於いて、上記回路手段は、上記第１の電池の装填を検出する第１の検出スイッチと、上記第２の電池の装填を検出する第２の検出スイッチと、該第１の検出スイッチ及び該第２の検出スイッチからの出力により上記温度検出素子の一方を選択して上記外部接点に導通させる制御を行うＣＰＵを含むことを特徴とする。
【００１５】
請求項７に記載の発明は、請求項１乃至６の何れか１に記載の発明に於いて、上記温度検出素子はサーミスタであることを特徴とする。
【００１６】
請求項８に記載の発明は、請求項１乃至６の何れか１に記載の発明に於いて、上記外部電源装置はカメラのための外部電源装置であることを特徴とする。
【００１７】
請求項９に記載の発明は、電子機器に外部より電源供給を可能とする外部電源装置に於いて、それぞれに温度検出素子を有する複数の電池をそれぞれに装填可能な複数の電池室と、上記電池の上記温度検出素子の何れかに導通する外部接点と、上記複数の電池室それぞれに挿入された上記複数の電池のうち、最後に挿入された電池の温度検出素子を上記外部接点に接続する制御手段と、を具備することを特徴とする。
【００１８】
請求項１０に記載の発明は、請求項９に記載の発明に於いて、上記外部電源装置はカメラのための外部電源装置であることを特徴とする。
【００１９】
請求項１１に記載の発明は、電子機器に外部より電源供給を可能とする外部電源装置に於いて、第１の温度検出素子を有する第１の電池の装填が可能な第１の電池室と、第２の温度検出素子を有する第２の電池の装填が可能な第２の電池室と、上記温度検出素子の一方に導通する外部接点と、上記第１の電池室と上記第２の電池室の何れか一方と、上記外部接点との接続を、上記第１の電池の装填状態と連動して切り替える制御手段と、を具備し、上記制御手段は、上記第１の電池室に上記第１の電池が装填され、上記第２の電池室が未装填であると上記第１の温度検出素子と上記外部接点とを電気的に導通させ、上記第２の電池室に上記第２の電池が装填され、上記第１の電池室が未装填であると上記第２の温度検出素子と上記外部接点とを電気的に導通させ、上記第１の電池室に上記第１の電池が装填され、上記第２の電池室に上記第２の電池が装填されると、上記第１の温度検出素子と電気的に上記外部接点とを導通させることを特徴とする。
【００２０】
請求項１２に記載の発明は、請求項１１に記載の発明に於いて、上記制御手段は、上記第１の電池の装填を検出する第１の検出スイッチと、上記第２の電池の装填を検出する第２の検出スイッチと、該第１の検出スイッチ及び該第２の検出スイッチからの出力により上記温度検出素子の一方を選択して上記外部接点に導通させる制御を行うＣＰＵを含むことを特徴とする。
【００２１】
請求項１３に記載の発明は、請求項１１若しくは１２に記載の発明に於いて、上記温度検出素子はサーミスタであることを特徴とする。
【００２２】
請求項１４に記載の発明は、請求項１１若しくは１２に記載の発明に於いて、上記外部電源装置はカメラのための外部電源装置であることを特徴とする。
【発明の効果】
【００２３】
本発明によれば、複数個の電池パックを内蔵する外部電源装置であっても、装填される電池パックの状態に関わらず正しく電池の温度を測定することのできる外部電源装置を提供することができる。
【発明を実施するための最良の形態】
【００２４】
以下、図面を参照して、本発明の実施形態を説明する。
【００２５】
（第１の実施形態）
図１は本発明の第１の実施形態による一眼レフレックスタイプのデジタルカメラの構成を示すもので、後方より見た外観斜視図である。
【００２６】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。  
カメラ本体２０の上面には、レリーズ釦２１と、モードダイヤル２２と、パワースイッチレバー２３と、コントロールダイヤル２４等が設けられている。
【００２７】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００２８】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２９】
コントロールダイヤル２４は、撮影情報の設定を行うための部材である。このコントロールダイヤル２４が操作されることにより、撮影時に種々の設定が行われる。
【００３０】
ボディユニット２０の背面部には、撮影画像やメニュー等を表示するための表示手段としての液晶モニタ２６と、再生釦２７と、メニュー釦２８と、十字キー３０と、ＯＫ釦３１と、接眼光学系のファインダ３３等が配置されている。
【００３１】
上記再生釦２７は、カメラ１の動作モードを、後述するＦｌａｓｈＲＯＭ６２や記録メディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。
【００３２】
図２は、本発明の第１の実施形態に係るカメラのシステム構成を示すブロック図である。
【００３３】
図２に於いて、上記レンズ鏡筒１０は、上記カメラ本体２０の前面に設けられた、図示されないレンズマウントを介して着脱自在に装着可能である。そして、上記レンズ鏡筒１０は、撮影レンズを有する撮影光学系１１と、絞り１２と、レンズ駆動機構１３と、絞り駆動機構１４と、レンズ制御用マイクロコンピュータ（以下、Ｌμｃｏｍと略記する）１５とから構成されている。
【００３４】
上記撮影光学系１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ３５を介して、後述するボディ制御用マイクロコンピュータ６５と電気的に接続がなされ、該ボディ制御用マイクロコンピュータ６５の指令に従って制御される。
【００３５】
一方、カメラ本体２０は、以下のように構成されている。
【００３６】
レンズ鏡筒１０内の撮影光学系１１、絞り１２を介して入射される図示されない被写体からの光束は、可動ミラーである反射鏡４０で反射され、図示されないフォーカシングスクリーン、ファインダ光学系４１等を介して、接眼レンズ４２に至る。また、上記反射鏡４０内のハーフミラーの部分を透過した被写体光束の一部は、該反射鏡４０とは独立して作動するサブミラー４７で反射されて、自動測距を行うためのＡＦセンサユニット４８に導かれる。
【００３７】
光軸上で上記反射鏡４０の後方には、フォーカルプレーン式のシャッタ５０と、光学系を通過した被写体像を光電変換するための撮像光学系の光電変換素子であり、ＣＣＤ等で構成される撮影用撮像素子５１が設けられている。つまり、反射鏡４０が撮影光路より退避した場合、撮影光学系１１及び絞り１２を通った光束は、撮影用撮像素子５１の撮像面上に結像される。
【００３８】
また、上記ファインダ光学系４１の近傍には、スルー画を表示するための表示用撮像素子４３と、測光センサを含む測光回路４４が配設されている。上記表示用撮像素子４３と上記撮影用撮像素子５１は、インターフェイス回路５９を介して、画像処理を行うための画像処理コントローラ６０に接続されている。そして、この画像処理コントローラ６０には、上述した液晶モニタ２６と、記憶領域として設けられたＳＤＲＡＭ６１、ＦｌａｓｈＲＯＭ６２及び記録メディア６３等が接続されている。これらは、電子撮像機能と共に電子記録表示機能を提供できるように構成されている。
【００３９】
上記インターフェイス回路５９は、ボディ制御用マイクロコンピュータ６５にも接続されている。このインターフェイス回路５９からは、表示用撮像素子４３と撮影用撮像素子５１から入力された撮像のタイミングを示す信号が、ボディ制御用マイクロコンピュータ６５に供給される。
【００４０】
上記記録メディア６３は、図示されないカメラのインターフェイスを介してカメラ本体２０に対し脱着可能な各種のメモリカードや外付けのハードディスクドライブ（ＨＤＤ）等の外部記録媒体である。
【００４１】
上記画像処理コントローラ６０は、測光回路４４と、ＡＦセンサ駆動回路５３と、ミラー駆動機構５４と、シャッタチャージ機構５５と、シャッタ制御回路５６と、不揮発性メモリ（ＥＥＰＲＯＭ）６７と共に、このカメラ本体２０内の各部を制御するための制御手段であるボディ制御用マイクロコンピュータ（以下、Ｂμｃｏｍと略記する）６５に接続されている。
【００４２】
上記Ｂμｃｏｍ６５には、また、当該カメラの動作状態を表示出力によって撮影者へ告知するための動作表示用ＬＣＤ６８と、カメラ操作スイッチ（ＳＷ）６９と、電源回路７０が接続されている。更に、Ｂμｃｏｍ６５及び電源回路７０には、接点群７５を介して、後述するバッテリホルダ８０が接続される。
【００４３】
尚、上記Ｂμｃｏｍ６５とＬμｃｏｍ１５とは、レンズ鏡筒１０の装着時に於いて、通信コネクタ３５を介して通信可能に電気的接続がなされる。そして、デジタルカメラとして、Ｌμｃｏｍ１５がＢμｃｏｍ６５に従属的に協働しながら稼動するようになっている。
【００４４】
上記測光回路４４は、図示されない測光センサの電気信号に基づいて測光処理する回路である。上記ＡＦセンサ駆動回路５３は上記ＡＦセンサユニット４８を駆動制御するための回路であり、ミラー駆動機構５４は反射鏡４０を回動自在に駆動制御する機構である。また、シャッタチャージ機構５５は、上記シャッタ５０を構成する図示されない先幕と後幕を駆動するばねをチャージするものである。シャッタ制御回路５６は、上記シャッタ５０の先幕と後幕の動きを制御すると共に、Ｂμｃｏｍ６５との間でシャッタの開閉動作を制御する信号の授受を行う。
【００４５】
不揮発性メモリ６７は、上述したＳＤＲＡＭ６１、ＦｌａｓｈＲＯＭ６２、記録メディア６３以外の記憶領域として、カメラ制御に必要な所定の制御パラメータを記憶するものであり、Ｂμｃｏｍ６５からアクセス可能に設けられている。
【００４６】
動作表示用ＬＣＤ６８は、当該カメラの動作状態を表示出力によってユーザへ告知するためのものである。上記カメラ操作スイッチ６９は、例えば撮影動作の実行を指示すると共に後述するように反射鏡４０を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路７０は、電源として後述するバッテリホルダ８０内に装填された電池の電圧を、当該カメラシステムの各回路ユニットが必要とする電圧に変換して供給するために設けられている。
【００４７】
上記バッテリホルダ８０は、複数個の電池パックを装填することが可能であるが、本実施形態に於いては、第１の電池としての電池パック１（以下、電池パック（１）と記す）９０ａと、第２の電池としての電池パック２（以下、電池パック（２）と記す）９０ｂの２つが装填可能なものとする。
【００４８】
バッテリホルダ８０内は、カメラ本体２０との接点群７５と、電池パック（１）９０ａ、電池パック（２）９０ｂとの接点群８２ａ、８２ｂとの間に、第１レリーズスイッチ（１ＲＳＷ）８５、第２レリーズスイッチ（２ＲＳＷ）８６、ロックスイッチ（ＳＷ）８７と、逆流防止用のダイオードＤ１及びＤ２が、図示の如く接続されている。
【００４９】
第１レリーズスイッチ８５及び第２レリーズスイッチ８６は、図８に示されるように、バッテリホルダ８０に設けられたレリーズ釦１２１に対応するもので、上述したカメラ本体２０のレリーズ釦２１の機能と同じである。また、ロックスイッチ８７は、図８に示されるロックレバーに対応したスイッチであり、バッテリホルダ８０がカメラ本体２０に装填された後にロックレバー１２０が操作されることにより、バッテリホルダ８０がカメラ本体２０から外れないようにロックされる。このとき、ロックスイッチ８７がオン状態となる。
【００５０】
電池パック（１）９０ａ及び（２）９０ｂは、それぞれ接点群８２ａ及び８２ｂを介してバッテリホルダ８０内の回路と電気的に接続される。また、それぞれ直列接続された電池セル９１ａ及び９２ｂと、温度検出素子であるサーミスタ９２ａ及び９２ｂとを有して構成される。
【００５１】
図３は、上述した電池パックの外観斜視図である。
【００５２】
尚、図３に於いては電池パック９０として示しているが、図２に於ける電池パック（１）９０ａ、電池パック（２）９０ｂとは同じ構成であり、ここでは代表的に電池パック９０として説明する。
【００５３】
電池パック９０は、内部に電池セルとサーミスタを有し、その外部はケース９５によって密閉されている。そして、ケース９５の所定箇所に上述した接点群８２ａまたは８２ｂと対応する接続端子９６〜９８が設けられている。このうち、接続端子９６は陽極（＋）端子であり、接続端子９７はサーミスタ（Ｔ）用の端子であり、接続端子９８は負極（−）端子である。
【００５４】
図４は、電池パック内の電池の放電特性を示した図である。
【００５５】
図４に示されるように、この電池は、電圧値が略８Ｖから徐々に放電されて減少し、所定の判定スレッシュ値にてカメラの駆動に必要な電圧値を下回るため、充電を必要とする。この場合、上記判定スレッシュ値は、例えば０℃の場合は６．６Ｖ、２０℃の場合は６．８Ｖ、４５℃の場合は７．０Ｖとなっている。
【００５６】
図５は、本発明の第１の実施形態に係るカメラのバッテリホルダ８０の構成を示した外観斜視図であり、図６は、図５のバッテリホルダに電池パックが装着される様子を示した外観斜視図である。
【００５７】
カメラ本体２０のグリップ部内に有する電池室（図示せず）内には、通常、カメラの電源としての電池が装填されている。そして、バッテリホルダ８０を使用する際は、この電池室内の電池に代えてバッテリホルダ８０の接点支柱１００が挿入される。
【００５８】
バッテリアダプタ８０は、上述したカメラ本体２０の図示されない電池室に挿入される部分として、該電池室に対応して接点支柱１００が設けられている。そして、この接点支柱１００の所定箇所、すなわち上記電池室内に設けられた図示されない電気接点と電気的に接触する箇所には、対応する接続端子１０１〜１０３が形成されている。このうち、接続端子１０１は陽極（＋）端子であり、接続端子１０２はサーミスタ（Ｔ）用の端子であり、接続端子１０３は負極（−）端子である。カメラ本体２０内の上記接続端子と接点支柱の接続端子１０１〜１０３により、上述した接点群７５が構成される。
【００５９】
また、上記接点支柱１００には、上記接続端子１０１〜１０３に隣接して、もう一方の上記接点群７５を構成するものとして、信号線１１１〜１１３が設けられている。これらは第１レリーズスイッチ用の信号線１１１、第２レリーズスイッチ用の信号線１１２及び起動信号線１１３で構成される。
【００６０】
バッテリホルダ８０は、また、カメラ本体２０の底面部と相対する面で、三脚ネジ（図示せず）と相対する位置に、三脚ネジ１０５が形成されている。この三脚ネジ１０５は、カメラ本体２０側の三脚ネジと螺合する雄ネジで構成されている。
【００６１】
尚、上記接点支柱１００の水平方向の断面形状は、カメラ本体２０の電池室（図示せず）の水平方向の断面形状に相似してやや小さい。また、三脚ネジ１０５は、バッテリホルダ８０の上面部の三脚ネジ用の穴とは遊嵌している状態である。
【００６２】
また、バッテリホルダ８０の前面部には、三脚ネジ１０５をカメラ本体２０の三脚ネジ（図示せず）と螺合させるための三脚ネジダイアル１０６が設けられている。この三脚ネジダイアル１０６を所定方向に回転させることにより、三脚ネジ１０５とカメラ本体２０の図示されない三脚ネジの螺合状態が調節されて、バッテリホルダ８０とカメラ本体２０との装着、取り外しがなされるようになっている。
【００６３】
更に、バッテリホルダ８０に於いて、三脚ネジダイアル１０６の下方には、複数個の電池パック９０、本実施形態では２つの電池パックを装填可能にした第１及び第２の電池室１１０ａ及び１１０ｂが形成されている。これら第１及び第２の電池室１１０ａ及び１１０ｂには、開閉自在なカバー１０７が設けられている。このカバー１０７は、ロックレバー１０８の操作によって開閉が可能になる。電池パック９０を装填する際には、カバー１０７を開けて、図６の矢印Ａ方向に電池パック９０を挿入した後、カバー１０７を閉じ、ロックレバー１０８を操作する。これによって、カバー１０７が固定されて電池パック９０の脱落を防止している。
【００６４】
上記バッテリホルダ８０内の電池室１１０には、図７に示されるように、矢印Ａ1 方向に電池パック９０が挿入された際に操作される電池装填スイッチ１１７が設けられている。この電池装填スイッチ１１７は、検出レバー１１５とスイッチ１１６とから構成される。
【００６５】
いま、電池パック９０が図示矢印Ａ1 方向に挿入されると、検出レバー１１５に当接し、これによって該検出レバー１１５が図示矢印Ｂ方向に回転する。すると、検出レバー１１５がスイッチ１１６の切片を押下して電池装填スイッチ１１７がオンになる。これにより、バッテリホルダ８０の電池室１１０に電池パック９０が装填されたことが検出される。また、この電池装填スイッチ１１７がオフであれば、電池パック９０は電池室１１０内に装填されていない状態となる。
【００６６】
尚、図７には電池室１１０、電池装填スイッチ１１７は１つしか示されないが、これらは電池室の数に応じて設ければよい。また、電池装填スイッチの構成は、電池室内の電池パックの有無を検出するものであれば、これに限られるものではない。
【００６７】
また、バッテリホルダ８０の側面部には、図示されないリモコンスイッチ接続用の接続端子を覆うためのコネクタキャップ１０９を有している。
【００６８】
図８及び図９は、カメラ本体２０にバッテリホルダ８０が装着される際の状態を示す外観図であって、図８はカメラ正面側下方より見た斜視図、図９はカメラの背面側から見た図である。
【００６９】
上述したように、カメラ本体２０内の電池室にバッテリホルダ８０の接点支柱１００が挿入され、三脚ネジダイアル１０６が、図９に於いて矢印Ｃ方向に回転されることにより、三脚ネジ１０５とカメラ本体２０の図示されない三脚ネジが螺着されて、バッテリホルダ８０がカメラ本体２０に装着される。そして、バッテリホルダ８０の下面に設けられたロックレバー１２０が操作されることにより、バッテリホルダ８０がカメラ本体２０から外れないようにロックされる。
【００７０】
尚、１２１はバッテリホルダ８０に設けられたレリーズ釦であり、上述した第１レリーズスイッチ８５及び第２レリーズスイッチ８６に対応している。このレリーズ釦１２１は、バッテリホルダ８０がカメラ本体２０に装着された際には、レリーズ釦２１と同様に機能するものである。
【００７１】
尚、上述したカメラ本体２０及びバッテリホルダ８０は、モールドまたはプラスチック等により構成されている。
【００７２】
図１０は、電池パックの温度検出を説明するための概略的な電気回路図である。
【００７３】
カメラ本体２０に於いて、Ｂμｃｏｍ６５のＡＤポート１は、抵抗Ｒ１１を介して電源回路７０に接続されると共に、接点群７５のサーミスタ用接点７５2 に接続されている。一方、Ｂμｃｏｍ６５のＡＤポート２は、分圧抵抗Ｒ１２を介して上記電源回路７０と接点群７５の正極用接点７５1 に接続されると共に、分圧抵抗Ｒ１３を介してグラウンドに接続される。また、電源回路７０及び接点群７５のうちの第１レリーズスイッチ用の信号線１１１、第２レリーズスイッチ用の信号線１１２及び起動信号線１１３に対応した接点７５4 、７５5 及び７５6 が、それぞれＢμｃｏｍ６５と接続されている。
【００７４】
バッテリホルダ８０内は、カメラ本体２０の上記接点７５1 と電池パック（１）９０ａの正極用接点８２ａ1 との間にダイオードＤ１が接続されている。また、カメラ本体２０の上記接点７５2 と電池パック（１）９０ａのサーミスタ用接点８２ａ2 との間には、後述するように電池パックの装填状態に応じて接続先を切り替えるトランスファスイッチ（ＳＷ）８３が接続されている。そして、カメラ本体２０の負極用接点７５3 は、電池パック（１）９０ａの負極用接点８２ａ3 と接続されている。同様に、上記接点７５1 と電池パック（２）９０ｂの正極用接点８２ｂ1 との間にはダイオードＤ２が接続され、上記接点７５2 と電池パック（２）９０ｂのサーミスタ用接点８２ｂ2 との間にはトランスファスイッチ（ＳＷ）８３が、それぞれ接続されている。そして、上記負極用接点７５3 と電池パック（２）９０ｂの負極用接点８２ｂ3 とが接続されている。
【００７５】
更に、上記接点７５4 には第１レリーズスイッチ（１ＲＳＷ）８５を介して、上記接点７５5 には第２レリーズスイッチ（２ＲＳＷ）８６を介して、それぞれロックスイッチ（ＳＷ）８７が接続され、更に電池パック（１）９０ａの負極用接点８２ａ3 及び電池パック（２）９０ｂの負極用接点８２ｂ3 と接続されている。
【００７６】
また、電池パック（１）９０ａに於いては、上記接点８２ａ1 と接点８２ａ3 との間に、スイッチング素子１２７ａと電池セル９１ａの直列回路が接続され、上記接点８２ａ2 と接点８２ａ3 との間にはサーミスタ９２ａが接続されている。そして、制御回路１２８ａが、スイッチング素子１２７ａの動作を制御するようにして接続されている。同様に、電池パック（２）９０ｂに於いては、上記接点８２ｂ1 と接点８２ｂ3 との間に、スイッチング素子１２７ｂと電池セル９１ｂの直列回路が接続され、上記接点８２ｂ2 と接点８２ｂ3 との間にはサーミスタ９２ｂが接続されている。そして、制御回路１２８ｂが、スイッチング素子１２７ｂの動作を制御するようにして接続されている。
【００７７】
図１１は、電池室が２つ存在するバッテリホルダに於いて、電池パックと選択されるサーミスタとの関係を説明するための回路図である。
【００７８】
いま、第１の電池室１１０ａ、第２の電池室１１０ｂ共に電池パックは装填されていない状態であるとする。この状態では、トランスファスイッチ８３の導通は第２の電池室１１０ｂ側に切り替えられた状態であるとする。そして、電池室の１つである特定の電池室、この場合第１の電池室１１０ａに電池パック（１）９０ａが装填されたとする。すると、トランスファスイッチ８３は、第１の電池室１１０ａに電池パック（１）９０ａが装填されたことと連動して、第１の電池室１１０ａ側に導通状態が切り替わる。そして、下記表１に表されるように、電池パック（１）９０ａ内のサーミスタ９２ａが選択されて導通状態となる。
【表１】
0004724509.tif 000002
【００７９】
一方、他の電池室である第２の電池室１１０ｂにのみ、電池パック（２）９０ｂが装填されたとする。すると、トランスファスイッチ８３は、第２の電池室１１０ｂ側に導通状態が切り替わる。そして、上記表１に表されるように、電池パック（２）９０ｂ内のサーミスタ９２ｂが選択されて導通状態となる。
【００８０】
更に、２つの電池室１１０ａ及び１１０ｂに、共に電池パック（１）９０ａ及び（２）９０ｂが装填されたとする。この場合、トランスファスイッチ８３は、第２の電池室１１０ｂの状態に関係なく、第１の電池室１１０ａに電池パック（１）９０ａが装填されたことと連動して、第１の電池室１１０ａ側に導通状態が切り替わる。そのため、第１及び第２の電池室１１０ａ及び１１０ｂに電池パック（１）９０ａ及び（２）９０ｂが装填されていても、電池パック（１）９０ａ側のサーミスタ９２ａが選択されて導通状態となる。
【００８１】
次に、図１２のフローチャートを参照して、第１の実施形態に於けるカメラの基本的な動作について説明する。
【００８２】
カメラ本体２０に装着されたバッテリホルダ８０に電池パックが装填されると、カメラが起動されて、先ずステップＳ１にてＢμｃｏｍ６５による初期設定が行われる。次いで、ステップＳ２にて、装填されている電池パック内のサーミスタの抵抗値がＡ／Ｄ変換される。サーミスタの抵抗値は、プルアップ抵抗Ｒ１１とサーミスタの抵抗値とから、Ｂμｃｏｍ６５内で算出される。
【００８３】
例えば、抵抗Ｒ１１を１０ｋΩとした場合、下記表２より、温度が２５℃の場合の抵抗値が１０ｋΩのサーミスタに於いて、１００℃の場合のサーミスタの抵抗値は０．９７ｋΩであり、６０℃の場合の抵抗値は３．０２ｋΩ、０℃の場合の抵抗値は２７．２８ｋΩ、−２０℃の場合の抵抗値は６７．７７ｋΩである。そして、これらのサーミスタの抵抗値のＡ／Ｄ変換値は、３．３Ｖを入力したときに２５５になるとすると、１００℃で２２、６０℃で５９、２５℃で１２７、０℃で１８６、−２０℃で２２２となる。これらのＡ／Ｄ変換値が用いられて、ステップＳ３及びＳ５にて、サーミスタの判定が行われる。
【表２】
0004724509.tif 000003
【００８４】
すなわち、ステップＳ３に於いて、上記ステップＳ２で得られたサーミスタのＡ／Ｄ変換値が“２２２”より小さいか否かが判定される。ここで、Ａ／Ｄ変換値が“２２２”を超える値であれば温度が−２０℃より低い低温状態、若しくは接触不良が考えられる。したがって、ステップＳ４に移行して、今回得られたＡ／Ｄ変換値のデータは使用せずに、前回得た温度データが記憶され、その後ステップＳ８に移行する。一方、上記ステップＳ３にてＡ／Ｄ変化値が“２２２”以下であると判定された場合は、次にステップＳ５に於いてＡ／Ｄ変換値が“５９”より大きいか否かが判定される。その結果、Ａ／Ｄ変換値が“５９“より小さければ、６０℃以上の高温であるので、ステップＳ６へ移行して電池異常の表示がなされる。その後、動作が停止される。
【００８５】
上記ステップＳ３及びＳ５にて、Ａ／Ｄ変換値が“２２２”〜“５９”の間であれば、ステップＳ７へ移行して、当該Ａ／Ｄ変換値から温度が算出される。そして、ステップＳ８にて、算出された温度から、該温度に応じた判定スレッシュ、すなわち最低駆動電圧が演算される。次いで、ステップＳ９にて、Ｂμｃｏｍ６５のポートから電池電圧がＡ／Ｄ変換される。
【００８６】
そして、ステップＳ１０に於いて、上記ステップＳ８で得られた判定スレッシュと上記ステップＳ９で得られた電池電圧とが比較される。その結果、電池電圧が判定スレッシュを下回っている場合は、ステップＳ１１に移行して、装填されている電池の電圧値が下がっているので使用できない（弱っている）旨の警告表示が、液晶モニタ２６等になされる。その後、動作が停止される。
【００８７】
一方、上記ステップＳ１０にて、電池電圧が判定スレッシュよりも高い場合は、充電動作が可能であるので、ステップＳ１２に移行してレリーズ釦２１または１２１の状態が検出される。ここで、レリーズ釦２１または１２１が操作されない（レリーズ釦がオフ）状態の場合は、上記ステップＳ２へ移行して、上述した処理動作が繰り返される。一方、レリーズ釦２１または１２１が操作された（オンされた）場合は、ステップＳ１３へ移行して撮影動作が行われる。その後、上記ステップＳ２へ移行する。
【００８８】
このように、第１の実施形態によれば、装填される電池パックの状態に応じて正しく電池の温度を測定することができる。
【００８９】
（第２の実施形態）
次に、本願発明の第２の実施形態について説明する。
【００９０】
上述した第１の実施形態では電池室が２つの例について説明したが、本第２の実施形態では電池室が３つ存在する場合の例について説明する。
【００９１】
以下、この第２の実施形態について説明するが、カメラの基本的な構成については、図１乃至図１２に示される第１の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【００９２】
図１３は、電池室が３つ存在するバッテリホルダに於いて、電池パックと選択されるサーミスタとの関係を説明するための回路図である。
【００９３】
カメラ本体２０とバッテリホルダ８０との接点群７５のうち、正極用接点７５1 には、それぞれダイオードＤ１、Ｄ２及びＤ３を介して、電池パック（１）９０ａ、電池パック（２）９０ｂ及び電池パック（３）９０ｃの正極用接点８２ａ1 、８２ｂ1 及び８２ｃ1 が接続されている。また、カメラ本体２０とバッテリホルダ８０との接点群７５のうち、負極用接点７５3 には、それぞれ電池パック（１）９０ａ、電池パック（２）９０ｂ及び電池パック（３）９０ｃの負極用接点８２ａ3 、８２ｂ3 及び８２ｃ3 が接続されている。
【００９４】
更に、上記接点群７５のサーミスタ用接点７５2 には、トランスファスイッチ（ＳＷ）８３ａの切り替え端子８３ａ1 が接続されている。そして、このトランスファスイッチ８３ａの一方の接点端子８３ａ2 には電池パック（１）９０ａのサーミスタ用接点８２ａ2 が、他方の接点端子８３ａ3 には、トランスファスイッチ（ＳＷ）８３ｂの切り替え端子８３ｂ1 が接続されている。更に、このトランスファスイッチ８３ｂの一方の接点端子８３ｂ2 には電池パック（２）９０ｂのサーミスタ用接点８２ｂ2 が、他方の接点端子８３ｂ3 には、電池パック（３）９０ｃのサーミスタ用接点８２ｃ2 が接続されている。
【００９５】
このような構成に於いて、トランスファスイッチ８３ａ及び８３ｂは、何れの電池室にも電池パックが装填されていない状態で、切り替え端子８３ａ1 及び８３ｂ1 が、それぞれ接点端子８３ａ3 及び８３ｂ3 側に切り替えられている。そして、電池室の１つである特定の電池室、この場合第１の電池室１１０ａに電池パック（１）９０ａが装填されたとする。すると、トランスファスイッチ８３ａは、第２の電池室１１０ｂ、第３の電池室１１０ｃの状態に関係なく、第１の電池室１１０ａに電池パック（１）９０ａが装填されたことと連動して、第１の電池室１１０ａ側に導通状態が切り替わり、電池パック（１）９０ａ内のサーミスタ９２ａが選択されて導通状態となる。同様に、第２の電池室１１０ｂに電池パック（１）９０ａが装填されると、トランスファスイッチ８３ｂは、第３の電池室１１０ｃの状態に関係なく、第２の電池室１１０ｂに電池パック（２）９０ｂが装填されたことと連動して、第２の電池室１１０ｂ側に導通状態が切り替わり、電池パック（２）９０ｂ内のサーミスタ９２ｂが選択されて導通状態となる。
【００９６】
つまり、電池室内に電池パックが１つのみ装填されている場合は、当該電池パックのサーミスタが選択される。そして、複数の電池室内に電池パックが装填されている場合は、より上位側、この場合第３の電池パックより第２の電池パック、また第２の電池パックよりも第１の電池パック側のサーミスタが選択されるようになっている。したがって、第１乃至第３の電池室１１０ａ〜１１０ｃ全てに電池パック（１）９０ａ〜（３）９０ｃが装填されている場合は、第１の電池パック（１）９０ａのサーミスタ９２ａが選択されることになる。
【００９７】
このように、第２の実施形態によっても、装填される電池パックの状態に応じて正しく電池の温度を測定することができる。
【００９８】
（第３の実施形態）
次に、本願発明の第３の実施形態について説明する。
【００９９】
上述した第１及び第２の実施形態では、複数の電池室を有する場合に上位側に装填された電池パックを使用するようにしていたが、この第３の実施形態では、マイクロコンピュータを利用して最後に装填された電池パックを使用するようにしている。
【０１００】
以下、この第２の実施形態について説明するが、カメラの基本的な構成については、図１乃至図１２に示される第１の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【０１０１】
図１４は、本発明の第３の実施形態によるバッテリホルダと電池パックの様子を示したもので、バッテリホルダに電池パックが装着される様子を示した斜視図である。
【０１０２】
図１４に示されるように、バッテリホルダ８０′内の電池室１１０には、電池パック９０ａ、９０ｂが挿入された際に操作される電池装填スイッチ１１７ａ、１１７ｂが、それぞれ設けられている。上記電池装填スイッチ１１７ａ、１１７ｂは、上述した電池装填スイッチ１１７と同様の構成であるので、ここでは説明を省略する。
【０１０３】
尚、図１４には電池室、電池装填スイッチは２つしか示されないが、これらは電池室の数に応じて設ければよい。
【０１０４】
図１５は、本発明の第３の実施形態に係るカメラのバッテリホルダ８０′の構成を示した外観斜視図であり、図１６は、カメラ本体２０にバッテリホルダ８０′が装着される際の状態をカメラ正面側下方より見た斜視図である。
【０１０５】
バッテリホルダ８０の下面には、後述する電源スイッチに対応して操作される電源レバー１３１が設けられている。また、１３２はバッテリホルダ８０′に設けられたレリーズ釦であり、上述した第１レリーズスイッチ８５及び第２レリーズスイッチ８６に対応している。このレリーズ釦１３２は、バッテリホルダ８０′がカメラ本体２０に装着された際に、レリーズ釦２１と同様に機能するものである。
【０１０６】
図１７は、電池パックの温度検出を説明するための概略的な電気回路図である。
【０１０７】
バッテリホルダ８０′内には、電池室１１０ａ、１１０ｂの何れに電池パックが装填されているかを検出するためのマイクロコンピュータ（以下、マイコンと略記する）１３５を有している。このマイコン１３５には、リセットＩＣ１３６と、上述した電池装填スイッチ１１７ａ、１１７ｂと、上述した電源レバー１３１に対応した電源スイッチ１３７が接続されている。
【０１０８】
また、カメラ本体２０の上記接点７５2 と電池パック（１）９０ａのサーミスタ用接点８２ａ2 、８２ａ2 との間には、それぞれスイッチ素子１４１、１４２が接続されている。これらのスイッチ素子１４１、１４２は、上記電池装填スイッチ１１７ａ、１１７ｂに対応するもので、マイコン１３５によってオン、オフが制御される。
【０１０９】
次に、図１８のフローチャートを参照して、本発明の第３の実施形態によるカメラの電池装填の動作について説明する。
【０１１０】
バッテリホルダ８０′に電池パックが装填されると、カメラが起動されて、先ずステップＳ２１にてＢμｃｏｍ６５による初期設定が行われる。次いで、ステップＳ２２に於いて、第１の検出スイッチである電池装填スイッチ１１７ａの状態が検出される。ここで、電池装填スイッチ１１７ａがオンであれば、ステップＳ２３へ移行して第１のスイッチ素子１４１がオンにされる。
【０１１１】
一方、上記ステップＳ２２にて電池装填スイッチ１１７ａがオンでなければ、ステップＳ２４に移行して、第２の検出スイッチである電池装填スイッチ１１７ｂの状態が検出される。その結果、電池装填スイッチ１１７ｂがオンであれば、ステップＳ２５へ移行して第２のスイッチ素子１４２がオンにされる。
【０１１２】
そして、上記ステップＳ２２及びＳ２４にて、何れの検出スイッチもオンでない場合、及び上記ステップＳ２３、Ｓ２５で何れかのスイッチ素子がオンされたならば、ステップＳ２６に移行する。このステップＳ２６では、第１の検出スイッチ（電池装填スイッチ）１１７ａの状態が、オフからオンに変化したか否かが判定される。ここで、第１の検出スイッチ１１７ａがオフからオンに変化した、すなわち第１の電池室１１０ａに電池パック（１）９０ａが装填されたならば、ステップＳ２７に移行する。そして、このステップＳ２７にて、上記第１のスイッチ素子１４１がオン状態となる。
【０１１３】
上記ステップＳ２６にて第１の検出スイッチ１１７ａがオフからオンに変化しない場合は、ステップＳ２８に移行して第２の検出スイッチ（電池装填スイッチ）１１７ｂの状態が、オフからオンに変化したか否かが判定される。ここで、第２の検出スイッチ１１７ｂがオフからオンに変化した、すなわち第２の電池室１１０ｂに電池パック（２）９０ｂが装填されたならば、ステップＳ２９に移行する。そして、このステップＳ２９にて、上記第２のスイッチ素子１４２がオン状態となる。
【０１１４】
上記ステップＳ２６及びＳ２８にて、第１の検出スイッチ１１７ａ、第２の検出スイッチ１１７ｂの何れもオフからオンに変化しない場合は、上記ステップＳ２３またはＳ２５にて、何れかの検出スイッチがオンされている場合である。こうして、何れかの検出スイッチがオンされたならば、ステップＳ４６に移行する。
【０１１５】
ステップＳ４６では、バッテリホルダ８０′の電源スイッチ１３７の状態が検出される。ここでは、電源スイッチ１３７がオンになるまで待機する。そして、電源スイッチ１３７がオンになったならば、上記ステップＳ２６へ移行して、以降の処理動作が繰り返される。
【０１１６】
ここで、図１９のタイミングチャートを参照して、電池室に装填された電池パックの認識について説明する。尚、始めに第１の電池室１１０ａに電池パック（１）９０ａが装填されているものとする。
【０１１７】
電源のオンによって電圧ＶＥが立ち上がり、これによってリセットＩＣ１３５が立ち上がってマイコン１３５が起動される。そして、初期化動作により、マイコン１３５のポートＰ１がオンされ、第１のスイッチ素子１４１が導通して、電池パック（１）９０ａのサーミスタ９２ａが認識される。
【０１１８】
ここで、電池パック（２）９０ｂが第２の電池室１１０ｂに装填されると、第２の検出スイッチ１１７ｂがオンされる。すると、マイコン１３５のポートＰ２がオンになると共にポートＰ１がオフになる。これにより、第２のスイッチ素子１４２がオン、第１のスイッチ素子１４１がオフとなって、電池パック（１）９０ａのサーミスタ９２ａから電池パック（２）９０ｂのサーミスタ９２ｂに、マイコン１３５の認識が切り替わる。
【０１１９】
その後、電池パック（２）９０ｂが第２の電池室１１０ｂに装填された状態で、電池パック（１）９０ａが第１の電池室１１０ａから抜かれて再度装填されたとする。すると、第１の検出スイッチ１１７ａがオフからオンに切り替わり、これを受けてマイコン１３５のポートＰ１がオンになると共にポートＰ２がオフになる。これにより、第１のスイッチ素子１４１がオン、第２のスイッチ素子１４２がオフとなって、電池パック（２）９０ｂのサーミスタ９２ｂから電池パック（１）９０ａのサーミスタ９２ａに、マイコン１３５の認識が切り替わる。
【０１２０】
このように、第３の実施形態によれば、最後に電池室に装填された方の電池パックのサーミスタをマイコンが認識するので、装填された電池パックの状態に応じて正しく電池の温度を測定することができる。
【０１２１】
（第４の実施形態）
次に、本発明の第４の実施形態について説明する。
【０１２２】
上述した第３の実施形態は、最後に電池室に装填された電池パックのサーミスタを優先させるものであったのに対し、この第４の実施形態は、上述した第１及び第２の実施形態と同様に、複数の電池室内に電池パックが装填されている場合は、より上位側の電池パック側のサーミスタが選択されるようにしている。
【０１２３】
尚、この第４の実施形態に於けるバッテリホルダの構成は上述した第３の実施形態と同じであり、カメラの基本的な構成については、図１乃至図１９に示される第１乃至第３の実施形態と同じであり、基本的な撮影動作についても同様である。したがって、これらの構成及び動作については、同一の部分には同一の参照番号を付して、その図示及び説明は省略するものとし、異なる部分についてのみ説明する。
【０１２４】
図２０のフローチャートを参照して、本発明の第４の実施形態によるカメラの電池装填の動作について説明する。
【０１２５】
バッテリホルダ８０′に電池パックが装填されると、カメラが起動されて、先ずステップＳ４１にてＢμｃｏｍ６５による初期設定が行われる。次いで、ステップＳ４２に於いて、第１の検出スイッチである電池装填スイッチ１１７ａの状態が検出される。ここで、電池装填スイッチ１１７ａがオンであれば、ステップＳ４３へ移行して第１のスイッチ素子１４１がオンにされる。
【０１２６】
一方、上記ステップＳ４２にて電池装填スイッチ１１７ａがオンでなければ、ステップＳ４４に移行して、第２の検出スイッチである電池装填スイッチ１１７ｂの状態が検出される。その結果、電池装填スイッチ１１７ｂがオンであれば、ステップＳ４５へ移行して第２のスイッチ素子１４２がオンにされる。
【０１２７】
そして、上記ステップＳ４２及びＳ４４にて、何れの検出スイッチもオンでない場合、及び上記ステップＳ４３、Ｓ４５で何れかのスイッチ素子がオンされたならば、ステップＳ４６に移行する。
【０１２８】
ステップＳ３０では、バッテリホルダ８０′の電源スイッチ１３７の状態が検出される。ここでは、電源スイッチ１３７がオンになるまで待機する。そして、電源スイッチ１３７がオンになったならば、上記ステップＳ４２へ移行して、以降の処理動作が繰り返される。
【０１２９】
このように、第４の実施形態によれば、上述した第１の実施形態と同様に、上記表１に従ったサーミスタを選択することができる。
【０１３０】
（第５の実施形態）
次に、本発明の第５の実施形態について説明する。
【０１３１】
上述した第３の実施形態では、バッテリホルダ内にマイコンを設けて最後に装填された電池パックを使用するようにした例について説明した。本第５の実施形態では、更にバッテリホルダ内のマイコンに低消費電流モードの機能を追加した例について説明する。
【０１３２】
以下、この第５の実施形態について説明するが、カメラの基本的な構成については、図１乃至図２０に示される第１乃至第４の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【０１３３】
図２１は、本発明の第５の実施形態であって、電池パックの温度検出を説明するための概略的な電気回路図である。
【０１３４】
この図２１に示される構成の回路図で、上述した図１７の回路構成と異なるのは、起動信号線１１３に対応した接点７５6 が、バッテリホルダ８０″内のマイコン１３５のポートＩＮＴと接続されている点と、第１の検出スイッチ（電池装填スイッチ）１１７ａ及び第２の検出スイッチ（電池装填スイッチ）１１７ｂとグラウンドの間にロックスイッチ（ＳＷ）１４４が設けられた点である。このロックスイッチ１４４は、上記電池装填スイッチ１１７ａ、１１７ｂが設定された状態で誤操作されないように固定するためのスイッチである。その他の回路構成は、図１７の回路構成と同じであるので説明は省略する。
【０１３５】
次に、図２２のタイミングチャートを参照して、本発明の第５の実施形態によるカメラの電池装填の動作について説明する。尚、始めに第１の電池室１１０ａに電池パック（１）９０ａが装填されているものとする。
【０１３６】
本実施形態では、Ｂμｃｏｍ６５からの起動信号によってマイコン１３５を起動させて、それ以外は低消費電流モードとして機能するようになっている。
【０１３７】
カメラ本体２０がスリープ状態、すなわち低消費電流モードの状態に於いて何らかの操作がなされると、Ｂμｃｏｍ６５から起動信号がバッテリホルダ８０″に供給され、マイコン１３５が起動されて低消費電流モードから通常モードに復帰する。そして、初期化動作により、マイコン１３５のポートＰ１がオンになり、第１のスイッチ素子１４１がオン状態になると共にロックスイッチ１４４がオンされて、電池パック（１）９０ａのサーミスタ９２ａが認識される。
【０１３８】
以降の動作は、図１９に示されるタイミングチャートを参照した第３の実施形態と同じであるので、ここでの説明は省略する。
【０１３９】
このように、第５の実施形態によれば、最後に電池室に装填された方の電池パックのサーミスタをマイコンが認識する。また、このバッテリホルダ内のマイコンに低消費電流モードにする機能を追加しているので、無駄な電流消費を低減させることができる。
【０１４０】
尚、上述した第１乃至第５の実施形態に於いて、バッテリホルダ内の電池室に装填される電池パックは同じ構成として説明したが、これに限られるものではなく、サーミスタを検出可能であれば、例えば形状が異なる等、同じ構成のものでなくとも良い。
【０１４１】
以上、本発明の実施形態について説明したが、本発明は上述した実施形態以外にも、本発明の要旨を逸脱しない範囲で種々の変形実施が可能である。
【図面の簡単な説明】
【０１４２】
【図１】本発明の第１の実施形態による一眼レフレックスタイプのデジタルカメラの構成を示すもので、後方より見た外観斜視図である。
【図２】本発明の第１の実施形態に係るカメラのシステム構成を示すブロック図である。
【図３】電池パックの外観斜視図である。
【図４】電池パック内の電池の放電特性を示した図である。
【図５】本発明の第１の実施形態に係るカメラのバッテリホルダ８０の構成を示した外観斜視図である。
【図６】図５のバッテリホルダに電池パックが装着される様子を示した外観斜視図である。
【図７】バッテリホルダ８０内に設けられた電池装填スイッチ１１７の例を示した図である。
【図８】カメラ本体２０にバッテリホルダ８０が装着される際の状態を示す外観図であって、カメラ正面側下方より見た斜視図である。
【図９】カメラ本体２０にバッテリホルダ８０が装着される際の状態を示す外観図であって、カメラの背面側から見た図である。
【図１０】本発明の第１の実施形態による電池パックの温度検出を説明するための概略的な電気回路図である。
【図１１】本発明の第１の実施形態を示すもので、電池室が２つ存在するバッテリホルダに於いて、電池パックと選択されるサーミスタとの関係を説明するための回路図である。
【図１２】本発明の第１の実施形態に於けるカメラの基本的な動作について説明するフローチャートである。
【図１３】本発明の第２の実施形態を示すもので、電池室が３つ存在するバッテリホルダに於いて、電池パックと選択されるサーミスタとの関係を説明するための回路図である。
【図１４】本発明の第３の実施形態によるバッテリホルダと電池パックの様子を示したもので、バッテリホルダに電池パックが装着される様子を示した斜視図である。
【図１５】本発明の第３の実施形態に係るカメラのバッテリホルダ８０′の構成を示した外観斜視図である。
【図１６】本発明の第３の実施形態を示すもので、カメラ本体２０にバッテリホルダ８０′が装着される際の状態をカメラ正面側下方より見た斜視図である。
【図１７】本発明の第３の実施形態による電池パックの温度検出を説明するための概略的な電気回路図である。
【図１８】本発明の第３の実施形態によるカメラの電池装填の動作について説明するフローチャートである。
【図１９】第３の実施形態による電池室に装填された電池パックの認識について説明するタイミングチャートである。
【図２０】本発明の第４の実施形態によるカメラの電池装填の動作について説明するフローチャートである。
【図２１】本発明の第５の実施形態であって、電池パックの温度検出を説明するための概略的な電気回路図である。
【図２２】本発明の第５の実施形態によるカメラの電池装填の動作について説明するタイミングチャートである。
【符号の説明】
【０１４３】
１…カメラ、１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２３…パワースイッチレバー、２４…コントロールダイヤル、２６…液晶モニタ、３３…ファインダ、３５…通信コネクタ、４０…反射鏡、４１…ファインダ光学系、４３…表示用撮像素子、４４…測光回路、４８…ＡＦセンサユニット、５０…シャッタ、５１…撮影用撮像素子、５３…ＡＦセンサ駆動回路、５４…ミラー駆動機構、５５…シャッタチャージ機構、５６…シャッタ制御回路、５９…インターフェイス回路、６０…画像処理コントローラ、６１…ＳＤＲＡＭ、６２…ＦｌａｓｈＭｅｍｏｒｙ、６３…記録メディア、６５…ボディ制御用マイクロコンピュータ（Ｂμｃｏｍ）、６７…不揮発性メモリ（ＥＥＰＲＯＭ）、６８…動作表示用ＬＣＤ、６９…カメラ操作スイッチ（ＳＷ）、７０…電源回路、７５…接点群、８０…バッテリホルダ、８２ａ、８２ｂ…接点群、８５…第１レリーズスイッチ（１ＲＳＷ）、８６…第２レリーズスイッチ（２ＲＳＷ）、８４…ロックスイッチ、９０ａ…電池パック（１）、９０ｂ…電池パック（２）、９１ａ、９１ｂ…電池セル、９２ａ、９２ｂ…サーミスタ、１１０ａ…第１の電池室、１１０ｂ…第２の電池室。
【図１】
0004724509.tif 000004
【図２】
0004724509.tif 000005
【図３】
0004724509.tif 000006
【図４】
0004724509.tif 000007
【図５】
0004724509.tif 000008
【図６】
0004724509.tif 000009
【図７】
0004724509.tif 000010
【図８】
0004724509.tif 000011
【図９】
0004724509.tif 000012
【図１０】
0004724509.tif 000013
【図１１】
0004724509.tif 000014
【図１２】
0004724509.tif 000015
【図１３】
0004724509.tif 000016
【図１４】
0004724509.tif 000017
【図１５】
0004724509.tif 000018
【図１６】
0004724509.tif 000019
【図１７】
0004724509.tif 000020
【図１８】
0004724509.tif 000021
【図１９】
0004724509.tif 000022
【図２０】
0004724509.tif 000023
【図２１】
0004724509.tif 000024
【図２２】
0004724509.tif 000025